(57)【要約】【課題】従来デッドスペースとされていた部分を利用してフィルターを配設することにより、簡単な構成で且つコストアップを招くことのない薄型の空気清浄機を提供する。【解決手段】遠心ファン２を備えた空気清浄機において、前記遠心ファン２を構成するファンケーシング７の前面側における凹部１２の外周側に、前面側が開放され且つ前記遠心ファン２の羽根１０，１０・・の内周側と連通する空気連通口１３を有する環状凹部１４を形成するとともに、該環状凹部１４に、前面側フィルター１５を着脱自在に装着して、従来デッドスペースとされていた環状凹部１４を利用して前面側フィルター１５を装着することができるようにし、本体ケーシング１の前後方向寸法を小さくできるようにしている。【選択図】　　　　図２
2004132652.tif 000002
【特許請求の範囲】
【請求項１】
前面に空気吸込口を、少なくとも上面又は側面に空気吹出口を有する本体ケーシングと、該本体ケーシングに内蔵され、円板形状の主板の外周部前面に多数の羽根を仮想環状に形成してなるファンロータと該ファンロータを被包するスクロールタイプのファンケーシングと前記主板の前面側に位置して該主板を回転駆動させるファンモータとからなり、該ファンモータを前記ファンケーシングに形成された凹部に収納固定してなる遠心ファンを備えた空気清浄機であって、前記ファンケーシングの前面側における前記凹部の外周側には、前面側が開放され且つ前記羽根の内周側と連通する空気連通口を有する環状凹部を形成するとともに、該環状凹部には、前面側のフィルターを着脱自在に装着したことを特徴とする空気清浄機。
【請求項２】
前記主板の外周部背面には、多数の背面側羽根を仮想環状に形成し且つ前記ファンケーシングの背面側には、前記背面側羽根の内周側と連通する背面側空気連通口を形成して、前記遠心ファンを、前面側および背面側から吸込可能な表裏ファンとするとともに、前記本体ケーシングの側面には側面側空気吸込口を形成し且つ該側面側空気吸込口の内方には側面側のフィルターを着脱自在に装着する一方、前記本体ケーシング内には、前記側面側空気吸込口から吸い込まれた室内空気を前記背面側空気連通口に導く空気通路を形成したことを特徴とする前記請求項１記載の空気清浄機。
【請求項３】
前記主板の背面側には、該主板に対して該主板の回転数が所定値に達した時点で結合される駆動伝達部を介して連結される補助主板の外周部背面に多数の背面側羽根を仮想環状に形成してなる補助ファンロータを設け且つ前記ファンケーシングの背面側には、前記背面側羽根の内周側と連通する背面側空気連通口を形成するとともに、前記本体ケーシングの側面には側面側空気吸込口を形成し且つ該側面側空気吸込口の内方には側面側のフィルターを着脱自在に装着する一方、前記本体ケーシング内には、前記側面側空気吸込口から吸い込まれた室内空気を前記背面側空気連通口に導く空気通路を形成したことを特徴とする前記請求項１記載の空気清浄機。
【請求項４】
前記本体ケーシングの背面には、前記背面側空気連通口に対応する背面側空気吸込口を形成するとともに、該背面側空気吸込口には背面側のフィルターを着脱自在に装着したことを特徴とする前記請求項２および３のいずれか一項記載の空気清浄機。
【請求項５】
前記主板の中央部には、背面側に突出して前記背面側空気連通口に臨む円形突部を一体に形成し、該円形突部の内方には、前記ファンモータの背面側の一部を臨ませたことを特徴とする前記請求項１、２、３および４のいずれか一項記載の空気清浄機。
【請求項６】
前記フィルターを、塵埃除去機能を有する塵埃除去フィルターと脱臭機能を有する脱臭フィルターとがユニット化されたものにより構成したことを特徴とする前記請求項１、２、３、４および５のいずれか一項記載の空気清浄機。
【請求項７】
前記前面側空気吸込口を、前記環状凹部の外径と略同径の円形形状としたことを特徴とする前記請求項１、２、３、４、５および６のいずれか一項記載の空気清浄機。
【発明の詳細な説明】
【０００１】
【発明の属する技術分野】
本願発明は、空気清浄機に関し、さらに詳しくは薄型化を図った空気清浄機に関するものである。
【０００２】
【従来の技術】
従来から、ファンとフィルターとを備えた種々のタイプの空気清浄機が知られている。この種空気清浄機は、ファンを用いて空気を強制的にフィルターに送給して、該フィルターを通過させる過程で空気中の塵埃や臭気をフィルターに捕捉させて空気を清浄化することとなっている。
【０００３】
上記空気清浄機の一例として、例えば前面に空気吸込口を、上面に空気吹出口を有する本体ケーシングと、該本体ケーシングに内蔵されたファンと、該ファンの吸込側となる前記空気吸込口の内方にフィルターを配設する構造のものがある。
【０００４】
ところが、空気清浄機に使用されるフィルターは、空気中の塵埃を除去する塵埃除去機能を有する塵埃除去フィルター（例えば、ヘパフィルター）と空気中の臭気を除去する脱臭機能を有する脱臭フィルター（例えば、活性炭フィルター）とをユニット化して構成されているのが通例であり、相当な厚さを有している。このようなフィルターをファンの吸込側となる空気吸込口の内方に配設する構造の上記空気清浄機の場合、空気清浄機の前後寸法（即ち、厚さ）が大きくならざるを得ないという不具合があった。
【０００５】
近年、空気清浄機を薄型化することにより、床置き式や卓上式のみならず壁掛け式としても使用できるようにしたいというユーザの要求がある。
【０００６】
このような要求に対処するために、回転する円板の周縁において該円板の内側領域を囲包し且つ前記円板の半径方向に凹凸が形成されるように波形に曲折されたフィルターを備え、前記円板の回転に伴って前記フィルター内に吸い込まれた空気がフィルターを通過して排出されるように構成したものが提案されている（特許文献１参照）。
【０００７】
【特許文献１】
特開２００２−１６６１１９。
【０００８】
【発明が解決しようとする課題】
上記特許文献１に開示されている空気清浄機の場合、フィルターがファンの羽根として機能することとなっているため、得られる風量に限界があり、大きな空気清浄能力が得られないおそれがあるとともに、フィルターの交換時には、円板も一緒に破棄しなければならず、交換コストが高くなってしまうおそれもある。また、この空気清浄機の場合、円板に取り付けられるフィルターとして、塵埃除去機能を有するフィルター（例えば、ヘパフィルター）を採用することはできるが、脱臭機能を有する脱臭フィルター（例えば、活性炭フィルター）を採用することは難しい。
【０００９】
本願発明は、上記の点に鑑みてなされたもので、従来デッドスペースとされていた部分を利用してフィルターを配設することにより、簡単な構成で且つコストアップを招くことのない薄型の空気清浄機を提供することを目的としている。
【００１０】
【課題を解決するための手段】
本願発明では、上記課題を解決するための第１の手段として、前面に空気吸込口を、少なくとも上面又は側面に空気吹出口を有する本体ケーシングと、該本体ケーシングに内蔵され、円板形状の主板の外周部前面に多数の羽根を仮想環状に形成してなるファンロータと該ファンロータを被包するスクロールタイプのファンケーシングと前記主板の前面側に位置して該主板を回転駆動させるファンモータとからなり、該ファンモータを、前記ファンケーシングに形成された凹部に収納固定してなる遠心ファンを備えた空気清浄機において、前記ファンケーシングの前面側における前記凹部の外周側に、前面側が開放され且つ前記羽根の内周側と連通する空気連通口を有する環状凹部を形成するとともに、該環状凹部に、前面側のフィルターを着脱自在に装着している。
【００１１】
上記のように構成したことにより、遠心ファンの駆動により本体ケーシングの前面に形成された空気吸込口から吸い込まれた室内空気は、環状凹部に装着された前面側フィルターを通過する過程で塵埃や臭気が除去されて清浄空気となり、空気連通口を通って羽根から吐出され、ファンケーシングの吐出口を経て本体ケーシングの上面又は側面に形成された空気吹出口から室内へ排出されることとなる。しかも、ファンモータを収納固定する凹部の外周側に形成された環状凹部を利用して前面側フィルターが装着されることとなるため、本体ケーシングの前面側に形成された空気吸込口の内方にフィルターを設ける必要がなくなり、本体ケーシングの前後方向寸法を小さくでき、製品の薄型化を図ることができる。
【００１２】
本願発明では、さらに、上記課題を解決するための第２の手段として、上記第１の手段を備えた空気清浄機において、前記主板の外周部背面に、多数の背面側羽根を仮想環状に形成し且つ前記ファンケーシングの背面側に、前記背面側羽根の内周側と連通する背面側空気連通口を形成して、前記遠心ファンを、前面側および背面側から吸込可能な表裏ファンとするとともに、前記本体ケーシングの側面に側面側空気吸込口を形成し且つ該側面側空気吸込口の内方に側面側のフィルターを着脱自在に装着し、前記本体ケーシング内に、前記側面側空気吸込口から吸い込まれた空気を前記背面側空気吸込口に導く空気通路を形成することもでき、そのように構成した場合、側面側空気吸込口から吸い込まれた室内空気が、本体ケーシング内の空気通路および背面側空気流通口を経て遠心ファンの主板背面に形成された背面側羽根から吐出される過程で、側面側空気吸込口の内方に装着された側面側フィルターを通過することで清浄化されることとなり、本体ケーシングの３面からの吸込が可能となって、空気清浄化能力が増大することとなる。
【００１３】
本願発明では、さらに、上記課題を解決するための第３の手段として、上記第１の手段を備えた空気清浄機において、前記主板の背面側に、該主板に対して該主板の回転数が所定値に達した時点で結合される駆動伝達部を介して連結される補助主板の外周部背面に多数の背面側羽根を仮想環状に形成してなる補助ファンロータを設け且つ前記ファンケーシングの背面側に、前記背面側羽根の内周側と連通する背面側空気連通口を形成するとともに、前記本体ケーシングの側面に側面側空気吸込口を形成し且つ該側面側空気吸込口の内方に側面側のフィルターを着脱自在に装着する一方、前記本体ケーシング内に、前記側面側空気吸込口から吸い込まれた室内空気を前記背面側空気吸込口に導く空気通路を形成することもでき、そのように構成した場合、主板の回転数が所定値に上がるまでは主板のみが回転され、前面側空気吸込口から吸い込まれた室内空気が、前面側空気連通口を経て遠心ファンの前面側羽根から吐出される過程で、環状凹部に装着された前面側フィルターを通過することで清浄化されるが、主板の回転数が所定値にまで上昇した時点で駆動伝達部を介して補助ファンロータが主板に連結され、該補助ファンロータが回転を開始し、側面側空気吸込口から吸い込まれた室内空気が、本体ケーシング内の空気通路および背面側空気流通口を経て前記補助ファンロータの背面側羽根から吐出される過程で、側面側空気吸込口の内方に装着された側面側フィルターを通過することで清浄化されることとなり、時間差をもって空気清浄化能力を調節することができることとなる。
【００１４】
本願発明では、さらに、上記課題を解決するための第４の手段として、上記第２又は第３の手段を備えた空気清浄機において、前記本体ケーシングの背面に、前記背面側空気連通口に対応する背面側空気吸込口を形成するとともに、該空気吸込口に背面側のフィルターを着脱自在に装着することもでき、そのように構成した場合、背面側空気吸込口から吸い込まれた室内空気が、背面側空気流通口を経て遠心ファンの主板あるいは補助ファンロータの補助主板に形成された背面側羽根から吐出される過程で、背面側空気吸込口に装着された背面側フィルターを通過することで清浄化されることとなり、本体ケーシングの４面からの吸込が可能となって、空気清浄化能力がさらに増大することとなる。
【００１５】
本願発明では、さらに、上記課題を解決するための第５の手段として、上記第１、第２、第３又は第４の手段を備えた空気清浄機において、前記主板の中央部に、背面側に突出して前記背面側空気連通口に臨む円形突部を一体に形成し、該円形突部の内方に、前記ファンモータの背面側の一部を臨ませることもでき、そのように構成した場合、背面側空気流通口からの室内空気を背面側羽根側へスムーズに誘導する段部が円形突部の外周側に形成されることとなり、円滑な空気流れを確保できるとともに、円形突部の内方をファンモータの背面側の一部を収納する空間として利用することもできる。
【００１６】
本願発明では、さらに、上記課題を解決するための第６の手段として、上記第１、第２、第３、第４又は第５の手段を備えた空気清浄機において、前記フィルターを、塵埃除去機能を有する塵埃除去フィルターと脱臭機能を有する脱臭フィルターとがユニット化されたものにより構成することもでき、そのように構成した場合、フィルターを通過する過程で空気中の塵埃や臭気を一挙に除去できることとなり、効果的な空気清浄化機能が得られる。
【００１７】
本願発明では、さらに、上記課題を解決するための第７の手段として、上記第１、第２、第３、第４、第５又は第６の手段を備えた空気清浄機において、前記前面側空気吸込口を、前記環状凹部の外径と略同径の円形形状とすることもでき、そのように構成した場合、前面側空気吸込口の周囲に大きな余剰スペースが形成できることとなり、空気吹出口から吹き出される清浄空気が前面側の空気吸込口へとショートサーキットすることがなくなる。
【００１８】
【発明の実施の形態】
以下、添付の図面を参照して、本願発明を幾つかの好適な実施の形態について説明する。
【００１９】
第１の実施の形態
図１および図２には、本願発明の第１の実施の形態にかかる空気清浄機が示されている。
【００２０】
この空気清浄機は、前面１ａおよび両側面１ｂ，１ｂに空気吸込口３および４，４を、上面１ｃに空気吹出口５を有する本体ケーシング１と、該本体ケーシング１に内蔵された遠心ファン２とを備えて構成されている。
【００２１】
前記遠心ファン２は、円板形状の主板９の外周部前面および背面に多数の羽根１０，１０・・および１１，１１・・を仮想環状に形成してなるファンロータ６と該ファンロータ６を被包し且つ吐出口（図示省略）を上向きとしたスクロールタイプのファンケーシング７と前記主板９の前面側に位置して該主板９を回転駆動させるファンモータ８とからなる表裏ファンとされている。符号８ａはファンモータ８の回転軸である。前記ファンケーシング７の中央部には、前記ファンモータ８を収納固定するための円形の凹部１２が形成されている。該凹部１２は、円形とは限らず、ファンモータ８が収納固定できる形状であれば、種々の形状とすることもできる。
【００２２】
前記ファンケーシング７の前面側における前記凹部１２の外周側には、前面側が開放され且つ前記前面側羽根１０，１０・・の内周側と連通する空気連通口１３を有する環状凹部１４が形成されており、該環状凹部１４には、前面側フィルター１５が着脱自在に装着されている。前記空気連通口１３は、前記環状凹部１４における外周側壁面１４ａに形成された外周側開口１３ａと底面側壁面１４ｂに形成された底面側開口１３ｂとからなっており、前記外周側開口１３ａの前端は、前記各前面側羽根１０の前端と略一致される一方、前記底面側開口１３ｂの内端は、前記前面側フィルター１５の内端よりやや外周側に寄った位置とされている。なお、前記空気連通口１３には、ファンケーシング７の中心部と外周部とを連結する連結部（図示省略）が設けられている。このようにすると、空気連通口１３を必要十分な大きさとすることができる。
【００２３】
前記前面側フィルター１５は、環状形状とされており、その内周側に位置して塵埃等を除去する塵埃除去フィルター１５ａ（例えば、ヘパフィルター）と、その外周側に位置して臭気を除去する脱臭フィルター１５ｂ（例えば、活性炭フィルター）とからなっている。この前面側フィルター１５は、本体ケーシング１の前面１ａを構成する部材（即ち、前面板１６）を取り外した状態で交換される。なお、本実施の形態においては、前面側フィルター１５の内周側と前記凹部１２の外周側との間には、前面側空気吸込口３から吸い込まれた室内空気Ｗを誘導する環状空間１７が形成されている。このようにすると、吸込室内空気Ｗが環状空間１７を経て前面側フィルター１５を通過することとなり、塵埃除去フィルター１５ａおよび脱臭フィルター１５ｂの能力を最大限に活用できることとなり、空気清浄化効率が向上することとなる。
【００２４】
また、前記ファンケーシング７の背面側には、前記背面側羽根１１，１１・・の内周側と連通する背面側空気連通口１８が形成されており、前記本体ケーシング１と前記ファンケーシング７との間には、前記側面側空気吸込口４，４から吸い込まれた室内空気Ｗを前記背面側空気連通口１８に導く空気通路１９が形成されている。前記側面側空気吸込口４，４の内方には、側面側フィルター２０，２０が着脱自在に装着されている。
【００２５】
前記各側面側フィルター２０は、薄型直方体形状とされており、その外面側に位置して塵埃等を除去する塵埃除去フィルター２０ａ（例えば、ヘパフィルター）と、その内面側に位置して臭気を除去する脱臭フィルター２０ｂ（例えば、活性炭フィルター）とからなっている。この各側面側フィルター２０は、本体ケーシング１の底面側から交換できるようになっている。
【００２６】
また、本実施の形態においては、前記主板９の中央部には、背面側に突出して前記背面側空気連通口１８に臨む円形突部２１が一体に形成されており、該円形突部２１の内方には、前記ファンモータ８の背面側の一部が臨まされている。このようにすると、背面側空気流通口１８からの室内空気Ｗを背面側羽根１１，１１・・側へスムーズに誘導する段部２１ａが円形突部２１の外周側に形成されることとなり、円滑な空気流れを確保できるとともに、円形突部２１の内方をファンモータ８の背面側の一部を収納する空間として利用することもできる。
【００２７】
ところで、前記前面側空気吸込口３は、前面側フィルター１５と対応する開口面積を有しておれば足りるところから、本実施の形態においては、前記環状凹部１４の外径と略同径の円形形状とされている。このようにすると、本体ケーシング前面のほぼ全面に形成された空気吸込口の内方にフィルターを配設する従来の構造のものに比べて、前面側空気吸込口３の周囲に大きな余剰スペースＳ（図１参照）が形成できることとなり、空気吹出口５から吹き出される清浄空気Ｗ′が前面側の空気吸込口３へとショートサーキットすることがなくなる。
【００２８】
図１において、符号２２はＯＮ／ＯＦＦスイッチ等を配設した操作パネル、２３はこの空気清浄機を卓上用あるいは床置き用として使用する場合の支持台である。
【００２９】
上記のように構成された空気清浄機においては、次のような作用効果が得られる。
【００３０】
遠心ファン２の駆動により本体ケーシング１の前面１ａに形成された前面側空気吸込口３から吸い込まれた室内空気Ｗは、環状凹部１４に装着された前面側フィルター１５を通過する過程で塵埃や臭気が除去されて清浄空気Ｗ′となり、空気連通口１３を通って前面側羽根１０，１０・・から吐出され、ファンケーシング７の吐出口を経て本体ケーシング１の上面１ｃに形成された空気吹出口５から室内へ排出される。また、本体ケーシング１の両側面１ｂ，１ｂに形成された側面側空気吸込口４，４から吸い込まれた室内空気Ｗは、該側面側空気吸込口４，４の内方に装着された側面側フィルター２０，２０を通過する過程で塵埃や臭気が除去されて清浄空気Ｗ′となり、本体ケーシング１とファンケーシング７との間に形成された空気通路１９および背面側空気連通口１８を通って背面側羽根１１，１１・・から吐出され、ファンケーシング７の吐出口を経て本体ケーシング１の上面１ｃに形成された空気吹出口５から室内へ排出される。つまり、本実施の形態においては、本体ケーシング１の３面（即ち、前面１ａおよび両側面１ｂ，１ｂ）からの吸込となり、吸込空気（即ち、室内空気Ｗ）が前面側フィルター１５および側面側フィルター２０，２０で清浄化されることとなる。従って、従来例におけるように前面側のほぼ全面にフィルターを配設したものと比較しても、空気清浄化能力が劣るということはなくなる（換言すれば、空気清浄能力が増大する）。
【００３１】
しかも、ファンモータ８を収納固定する凹部１２の外周側に形成された環状凹部１４を利用して前面側フィルター１５が装着されることとなっているため、本体ケーシング１の前面側に形成された空気吸込口３の内方にフィルターを設ける必要がなくなり、本体ケーシング１の前後方向寸法を小さくでき、製品の薄型化を図ることができる。このように製品の薄型化を図った場合、支持台２３を取り外せば、壁掛け用としても使用可能となる。
【００３２】
ところで、壁掛け用として使用する場合、空気吹出口５から吹き出される清浄空気Ｗ′を斜め前向きに吹き出すようにするのが望ましいところから、図３に示すように、空気吹出口５を、本体ケーシング１の上面１ｃの前より位置から前面１ａの上端部にかけて形成する場合もある。この場合、空気吹出口５から前面側空気吸込口へのショートサーキットが生じ易いので、空気吹出口５の下端部にショートサーキット防止用の邪魔板２４を設けるのが望ましい。
【００３３】
第２の実施の形態
図４には、本願発明の第２の実施の形態にかかる空気清浄機が示されている。
【００３４】
この場合、本体ケーシング１の背面１ｄには、ファンケーシング７の背面側に形成された背面側空気連通口１８に対応する背面側空気吸込口２５が形成されており、該背面側空気吸込口２５には背面側フィルター２６が着脱自在に装着されている。該背面側フィルター２６は、前面本体ケーシング１の背面１ｄにおける前記背面側空気連通口１８に対応する部位を内側に窪ませて形成され且つ前記背面側空気吸込口２５が形成されている円形の凹部２７に収納されており、該凹部２７の開口部を覆い且つ円形の空気入口２９を有する覆い板２８により収納状態を保持されることとなっている。なお、前記背面側空気吸込口２５、凹部２７および空気入口２９は、円形とは限らず、四角形等とすることもできる。
【００３５】
前記背面側フィルター２６は、薄型円盤形状とされており、その外面側に位置して塵埃等を除去する塵埃除去フィルター２６ａ（例えば、ヘパフィルター）と、その内面側に位置して臭気を除去する脱臭フィルター２６ｂ（例えば、活性炭フィルター）とからなっている。この背面側フィルター２６は、前記覆い板２８を取り外すことにより交換できるようになっている。なお、本実施の形態にかかる空気清浄機は、床置き用あるいは卓上用として使用される。その他の構成は、第１の実施の形態におけると同様なので説明を省略する。
【００３６】
上記のように構成した場合、本体ケーシング１の前面側および側面側からの室内空気Ｗの吸込による空気清浄化作用に加えて、背面側空気吸込口２５から吸い込まれた室内空気Ｗは、背面側空気流通口１８を経て遠心ファン２の主板９背面に形成された背面側羽根１１，１１・・から吐出される過程で、背面側空気吸込口２５に装着された背面側フィルター２６を通過することで清浄化されることとなる。従って、本体ケーシング１の４面（即ち、前面１ａ、両側面１ｂ，１ｂおよび背面１ｄ）からの吸込が可能となり、空気清浄化能力がさらに増大することとなる。その他の作用効果は、第１の実施の形態におけると同様なので説明を省略する。
【００３７】
第３の実施の形態
図５および図６には、本願発明の第３の実施の形態にかかる空気清浄機が示されている。
【００３８】
この場合、本体ケーシング１の前面１ａに形成される前面側空気吸込口３は、該前面１ａのほぼ全面に亙って形成された四角形形状とされており、該前面側空気吸込口３の内方には、臭気を除去する脱臭フィルター３０が装着されており、ファンケーシング７における環状凹部１４に装着される前面側フィルター１５は、塵埃等を除去する塵埃除去フィルター（即ち、ヘパフィルター）のみとされている。このようにすると、本体ケーシング１の前後寸法は、前面側空気吸込口３の内方に脱臭フィルター３０を装着した分だけ大きくなるが、従来のものに比べて小さくなる。なお、この場合、ファンケーシング７における凹部１２の底部１２ａが脱臭フィルター３０の当たり面として利用できる。その他の構成および作用効果は、第１の実施の形態におけると同様なので説明を省略する。
【００３９】
第４の実施の形態
図７には、本願発明の第４の実施の形態にかかる空気清浄機が示されている。
【００４０】
この場合、遠心ファン２におけるファンロータ６を構成する主板９の背面側には、該主板９の段部２１ａに対して該主板９の回転数が所定値に達した時点で結合される駆動伝達部３１を介して連結される補助主板３２と、該補助主板３２の外周部背面に仮想環状に形成された多数の背面側羽根１１，１１・・とからなる補助ファンロータ３３が設けられている。なお、この場合にも、第２の実施の形態におけると同様に、本体ケーシング１の背面１ｄに背面側空気吸込口２５を形成し、該背面側空気吸込口２５に背面側フィルター２６を着脱自在に装着するようにしてもよい。その他の構成は、第１の実施の形態における同様なので説明を省略する。
【００４１】
上記のように構成した場合、主板９の回転数が所定値に上がるまでは主板９のみが回転され、前面側空気吸込口３から吸い込まれた室内空気Ｗが、前面側空気連通口１３を経て遠心ファン２の前面側羽根１０，１０・・から吐出される過程で、環状凹部１４に装着された前面側フィルター１５を通過することで清浄化されるが、主板９の回転数が所定値にまで上昇した時点で駆動伝達部３１を介して補助ファンロータ３３が主板９に連結され、該補助ファンロータ３３が回転を開始し、側面側空気吸込口４，４から吸い込まれた室内空気Ｗが、本体ケーシング１内の空気通路１９および背面側空気流通口１８を経て補助ファンロータ３３の背面側羽根１１，１１・・から吐出される過程で、側面側空気吸込口４，４の内方に装着された側面側フィルター２０，２０を通過することで清浄化されることとなり、時間差をもって空気清浄化能力を調節することができることとなる。その他の作用効果は、第１の実施の形態におけると同様なので説明を省略する。
【００４２】
【発明の効果】
本願発明の第１の手段によれば、前面に空気吸込口を、少なくとも上面又は側面に空気吹出口を有する本体ケーシングと、該本体ケーシングに内蔵され、円板形状の主板の外周部前面に多数の羽根を仮想環状に形成してなるファンロータと該ファンロータを被包するスクロールタイプのファンケーシングと前記主板の前面側に位置して該主板を回転駆動させるファンモータとからなり、該ファンモータを、前記ファンケーシングに形成された凹部に収納固定してなる遠心ファンを備えた空気清浄機において、前記ファンケーシングの前面側における前記凹部の外周側に、前面側が開放され且つ前記羽根の内周側と連通する空気連通口を有する環状凹部を形成するとともに、該環状凹部に、前面側のフィルターを着脱自在に装着して、ファンモータを収納固定する凹部の外周側に形成された環状凹部（従来デッドスペースとされていた）を利用して前面側フィルターを装着することができるようにしたので、本体ケーシングの前面側に形成された空気吸込口の内方にフィルターを設ける必要がなくなり、本体ケーシングの前後方向寸法を小さくでき、製品の薄型化を図ることができるという効果がある。
【００４３】
本願発明の第２の手段におけるように、上記第１の手段を備えた空気清浄機において、前記主板の外周部背面に、多数の背面側羽根を仮想環状に形成し且つ前記ファンケーシングの背面側に、前記背面側羽根の内周側と連通する背面側空気連通口を形成して、前記遠心ファンを、前面側および背面側から吸込可能な表裏ファンとするとともに、前記本体ケーシングの側面に側面側空気吸込口を形成し且つ該側面側空気吸込口の内方に側面側のフィルターを着脱自在に装着し、前記本体ケーシング内に、前記側面側空気吸込口から吸い込まれた空気を前記背面側空気吸込口に導く空気通路を形成することもでき、そのように構成した場合、側面側空気吸込口から吸い込まれた室内空気が、本体ケーシング内の空気通路および背面側空気流通口を経て遠心ファンの主板背面に形成された背面側羽根から吐出される過程で、側面側空気吸込口の内方に装着された側面側フィルターを通過することで清浄化されることとなり、本体ケーシングの３面からの吸込が可能となって、空気清浄化能力が増大することとなる。
【００４４】
本願発明の第３の手段におけるように、上記第１の手段を備えた空気清浄機において、前記主板の背面側に、該主板に対して該主板の回転数が所定値に達した時点で結合される駆動伝達部を介して連結される補助主板の外周部背面に多数の背面側羽根を仮想環状に形成してなる補助ファンロータを設け且つ前記ファンケーシングの背面側に、前記背面側羽根の内周側と連通する背面側空気連通口を形成するとともに、前記本体ケーシングの側面に側面側空気吸込口を形成し且つ該側面側空気吸込口の内方に側面側のフィルターを着脱自在に装着する一方、前記本体ケーシング内に、前記側面側空気吸込口から吸い込まれた空気を前記背面側空気吸込口に導く空気通路を形成することもでき、そのように構成した場合、主板の回転数が所定値に上がるまでは主板のみが回転され、前面側空気吸込口から吸い込まれた室内空気が、前面側空気連通口を経て遠心ファンの前面側羽根から吐出される過程で、環状凹部に装着された前面側フィルターを通過することで清浄化されるが、主板の回転数が所定値にまで上昇した時点で駆動伝達部を介して補助ファンロータが主板に連結され、該補助ファンロータが回転を開始し、側面側空気吸込口から吸い込まれた室内空気が、本体ケーシング内の空気通路および背面側空気流通口を経て前記補助ファンロータの背面側羽根から吐出される過程で、側面側空気吸込口の内方に装着された側面側フィルターを通過することで清浄化されることとなり、時間差をもって空気清浄化能力を調節することができることとなる。
【００４５】
本願発明の第４の手段におけるように、上記第２又は第３の手段を備えた空気清浄機において、前記本体ケーシングの背面に、前記背面側空気連通口に対応する背面側空気吸込口を形成するとともに、該空気吸込口に背面側のフィルターを着脱自在に装着することもでき、そのように構成した場合、背面側空気吸込口から吸い込まれた室内空気が、背面側空気流通口を経て遠心ファンの主板あるいは補助ファンロータの補助主板に形成された背面側羽根から吐出される過程で、背面側空気吸込口に装着された背面側フィルターを通過することで清浄化されることとなり、本体ケーシングの４面からの吸込が可能となって、空気清浄化能力がさらに増大することとなる。
【００４６】
本願発明の第５の手段におけるように、上記第１、第２、第３又は第４の手段を備えた空気清浄機において、前記主板の中央部に、背面側に突出して前記背面側空気連通口に臨む円形突部を一体に形成し、該円形突部の内方に、前記ファンモータの背面側の一部を臨ませることもでき、そのように構成した場合、円形突部の外周側に背面側空気流通口からの室内空気を背面側羽根側へスムーズに誘導する段部が形成されることとなり、円滑な空気流れを確保できるとともに、円形突部の内方をファンモータの背面側部分を収納する空間として利用することもできる。
【００４７】
本願発明の第６の手段におけるように、上記第１、第２、第３、第４又は第５の手段を備えた空気清浄機において、前記フィルターを、塵埃除去機能を有する塵埃除去フィルターと脱臭機能を有する脱臭フィルターとがユニット化されたものにより構成することもでき、そのように構成した場合、フィルターを通過する過程で空気中の塵埃や臭気を一挙に除去できることとなり、効果的な空気清浄化機能が得られる。
【００４８】
本願発明の第７の手段におけるように、上記第１、第２、第３、第４、第５又は第６の手段を備えた空気清浄機において、前記前面側空気吸込口を、前記環状凹部の外径と略同径の円形形状とすることもでき、そのように構成した場合、前面側空気吸込口の周囲に大きな余剰スペースが形成できることとなり、空気吹出口から吹き出される清浄空気が前面側の空気吸込口へとショートサーキットすることがなくなる。
【図面の簡単な説明】
【図１】本願発明の第１の実施の形態にかかる空気清浄機の斜視図である。
【図２】本願発明の第１の実施の形態にかかる空気清浄機の拡大横断平面図である。
【図３】本願発明の第１の実施の形態にかかる空気清浄機の変形例を示す斜視図である。
【図４】本願発明の第２の実施の形態にかかる空気清浄機の拡大横断平面図である。
【図５】本願発明の第３の実施の形態にかかる空気清浄機の斜視図である。
【図６】本願発明の第３の実施の形態にかかる空気清浄機の拡大横断平面図である。
【図７】本願発明の第４の実施の形態にかかる空気清浄機の拡大横断平面図である。
【符号の説明】
１は本体ケーシング、１ａは前面、１ｂは側面、１ｃは上面、１ｄは背面、２は遠心ファン、３は前面側空気吸込口、４は側面側空気吸込口、５は空気吹出口、６はファンロータ、７はファンケーシング、８はファンモータ、９は主板、１０は前面側羽根、１１は背面側羽根、１２は凹部、１３は前面側空気連通口、１４は環状凹部、１５は前面側フィルター、１５ａは塵埃除去フィルター（ヘパフィルター）、１５ｂは脱臭フィルター（活性炭フィルター）、１８は背面側空気連通口、１９は空気通路、２０は側面側フィルター、２０ａは塵埃除去フィルター（ヘパフィルター）、２０ｂは脱臭フィルター（活性炭フィルター）、２１は円形突部、２１ａは段部、２５は背面側空気吸込口、２６は背面側フィルター、２６ａは塵埃除去フィルター（ヘパフィルター）、２６ｂは脱臭フィルター（活性炭フィルター）、３１は駆動伝達部、３２は補助主板、３３は補助ファンロータ、Ｓは余剰スペース、Ｗは室内空気、Ｗ′は清浄空気。
【図１】
2004132652.tif 000003
【図２】
2004132652.tif 000004
【図３】
2004132652.tif 000005
【図４】
2004132652.tif 000006
【図５】
2004132652.tif 000007
【図６】
2004132652.tif 000008
【図７】
2004132652.tif 000009